(57)【要約】【課題】    本考案は、パソコンを利用して多機能電話機用「示名条片」を簡単・綺麗・短時間、かつ低コストで作成するための「示名条片」作成シートを得ることにある。【解決手段】  紙シートや透明フィルムシート、はくり紙台紙上に予め回線ボタン部分に穴を開けた複数枚の「示名条片」を配することで「示名条片」作成シートを構成しており、パソコンを利用してシート上の「示名条片」に電話番号や各種機能名等の必要データを印字する。印字後に作成シート上より「示名条片」を１枚毎ミシン目で切り取ったり、はくり紙台紙より剥がし電話機にセットして使用する。【選択図】図１
0003172769.tif 000002
【実用新案登録請求の範囲】
【請求項１】
１枚の紙シート、または透明フィルムシート上に、切り取り用のミシン目をつけた複数の多機能電話機用「示名条片」を配置。各々の「示名条片」には、予め使用電話機の回線ボタンの大きさに合わせた穴を開けておき、パソコンを利用して各々の回線ボタンに対応する電話番号や各種機能名等を印字するための多機能電話機用「示名条片」作成シートで、シートの表（オモテ）裏（ウラ）やプリンタへの挿入方向に係らず同様の印字結果を得られることを特徴とする。
【請求項２】
請求項１に記載のミシン目により「示名条片」を切り取る方法の他、予め切れ込みを入れた紙や透明フィルム製の「示名条片」をはくり紙台紙上に配置し、印刷後に台紙より剥がして使用する方法も可能。ただし、この方法による場合はシートへの表裏両面印刷はできない。
【請求項３】
本考案は多機能電話機のみならず、ビジネスホン用コンソールや各種配線用端子盤等、「示名条片」を有する各種の通信機器や物品にも広く応用できる。
【考案の詳細な説明】
【技術分野】
【０００１】  本考案は、パソコンを利用して多機能電話機用「示名条片」を簡単・綺麗・短時間、かつ低コストで作成するための「示名条片」作成シートに関するものである。
【背景技術】
【０００２】  オフィス等で使用する多機能電話機には通常多くの回線ボタンが設けられており、各々の回線ボタンには電話回線や各種機能を割り付けて利用する。しかし、多機能電話機に初期装着されている「示名条片」は、回線ボタン毎の機能名等表示欄が空欄となっているため、電話機を使用する際はそこに電話番号や機能名を表示する必要があるが、殆どの場合▲１▼手書き表示。▲２▼キングジム社のテプラ等のラベル作成機器を使用して作成したシールを直接「示名条片」に貼付。▲３▼自分で簡易的な「示名条片」をパソコンで作成・印刷し、回線ボタン部分をカッターで切り抜き電話機にセット。以上３方法のいずれかで対処しているのが現状である。【０００３】  しかしながら、従来の方法による場合▲１▼手書きで行う際の見栄えの悪さ、▲２▼シール貼付を行う際の高コスト、▲３▼パソコンで簡易「示名条片」を作成する際に必要となる回線ボタン部分のカッティング作業の稼働時間等に欠点があった。
【考案の概要】
【考案が解決しようとする課題】
【０００４】  本考案は、以上の様な従来の欠点に鑑み、「示名条片」を簡単・綺麗・短時間、かつ低コストで作成できる「示名条片」作成シートを提供することを目的としている。
【課題を解決するための手段】
【０００５】  上記目的を達成するために本考案は、１枚の紙シート、または透明フィルムシート上に複数の「示名条片」を配置、各々の「示名条片」には予め回線ボタンの個数や大きさに合わせた穴を開けておき、ミシン目により１枚ずつ簡単に切り離せる様にしておくと共に、その作成シート上の「示名条片」の各々の回線ボタンに対応する機能名等表示欄にパソコンを利用して電話番号や機能名等を印字するものである。
【考案の効果】
【０００６】  本考案に係る「示名条片」作成シートは、パソコンを利用して電話番号や機能名等の印字を行うため、「示名条片」を多機能電話機にセットした際の見栄えが良くなる。【０００７】  図１の全体図に示す如く、一度に複数の「示名条片」を作成可能であり、かつ図１の１に示す如く、回線ボタン部分を予めカッティングしているため、手作業によるカッティング作業が不要となり「示名条片」作成時間の大幅短縮が可能となる。【０００８】  社内における人事異動や電話機移転等で多機能電話機の回線ボタンに割り付けている電話番号や各種機能が変更となるケースがあるが、そのような場合でも「示名条片」作成シートにより柔軟・迅速に対応できる。
【図面の簡単な説明】
【０００９】
【図１】は「示名条片」作成シート全体の形状である。（１シート上の示名条片が４枚の場合の図）
【００１０】
【図１】の１：回線ボタン用の穴  ２：ミシン目  ３：ミシン目の延長部分  ４：パンチ穴  ５：用紙の表裏、及びプリンタ挿入方向識別マーク  ６：ミシン目の延長線上における非ミシン目部分
【００１１】
【図２】は「示名条片」作成シートの余白部分説明図である。
【００１２】
【図２】の１：用紙上余白  ２：用紙下余白  ３：用紙左余白  ４：用紙右余白  ５：示名条片上余白  ６：示名条片下余白  ７：示名条片左余白  ８：示名条片右余白
【００１３】
【図３】は「示名条片」作成シートより「示名条片」を１枚のみ切り離した図である。
【００１４】
【図３】の１：「示名条片」作成シート  ２：切り離した「示名条片」
【００１５】
【図４】は「示名条片」作成シートを半分に切り離した図である。
【００１６】
【図４】の１：左片（示名条片×２枚）  ２：右片（示名条片×２枚）
【００１７】
【図５】は「示名条片」作成シートを４分の１に切り離した図である。
【００１８】
【図５】の１：左上片（示名条片×１枚）  ２：右上片（示名条片×１枚）
【図５】の３：左下片（示名条片×１枚）  ４：右下片（示名条片×１枚）
【００１９】
【図６】は「示名条片」への印字例である。これを多機能電話機にセットして使用する。
【考案を実施するための形態】
【００２０】  以下、本考案の実施の形態を図に基づいて説明する。
【００２１】  図１は本考案実施の全体図であり、複数の「示名条片」を隣接配置することにより、ミシン目の数を減らせるので、切り離し作業が簡略化できる。
【００２２】  図１の３に示す如く、ミシン目を「示名条片」外枠より数ｍｍ〜数ｃｍ程度延長して入れることで切り離し作業の容易性が向上する。
【００２３】  図１の４に示す如く、各「示名条片」外枠の角に１〜２ｍｍ程度のパンチ穴を開けることで、直角部分の切り離し作業の容易性が向上する。
【００２４】  図１の５に示す如く、シート上にシートの表（オモテ）裏（ウラ）や用紙のプリンタ挿入方向を識別するための目印をしておく。
【００２５】  図１の６に示す如く、非ミシン目部分を用紙の端から数ｍｍ程度残しておくことで、プリンタによる印刷時のシート湾曲や摩擦、張力等に対する耐久性を確保する。
【００２６】  図１の３に示す延長したミシン目を利用し、図４や図５の如く「示名条片」作成シートを簡単に半分や４分の１に切り離せるため、「示名条片」を２枚単位や１枚単位で印刷することも可能である。
【００２７】  図２の１と２の寸法、３と４の寸法、５と６の寸法、７と８の寸法を各々等しくしておくことで、「示名条片」作成シートをプリンタにセットする際の用紙方向や表裏に関係なく同一の印刷結果が得られる。この特徴を利用して裏（ウラ）で試し印刷、表（表）で本印刷という使い方も可能となる。
【図１】
0003172769.tif 000003
【図２】
0003172769.tif 000004
【図３】
0003172769.tif 000005
【図４】
0003172769.tif 000006
【図５】
0003172769.tif 000007
【図６】
0003172769.tif 000008
【手続補正書】
【提出日】平成23年9月26日(2011.9.26)
【手続補正１】
【補正対象書類名】実用新案登録請求の範囲
【補正対象項目名】全文
【補正方法】変更
【補正の内容】
【実用新案登録請求の範囲】
【請求項１】
１枚の紙シート、または透明フィルムシート上に、切り取り用のミシン目をつけた複数の多機能電話機用「示名条片」を配置すると共に、各々の「示名条片」には予め使用電話機の回線ボタンの大きさに合わせた穴を開けておき、パソコンを利用して各々の回線ボタンに対応する電話番号や各種機能名等を印字するための多機能電話機用「示名条片」作成シート。
【手続補正２】
【補正対象書類名】明細書
【補正対象項目名】０００５
【補正方法】変更
【補正の内容】
【０００５】  上記目的を達成するために本考案は、１枚の紙シート、または透明フィルムシート上に複数の「示名条片」を配置、各々の「示名条片」には予め回線ボタンの個数や大きさに合わせた穴を開けておき、ミシン目により１枚ずつ簡単に切り離せる様にしておくと共に、その作成シート上の「示名条片」の各々の回線ボタンに対応する機能名等表示欄にパソコンを利用して電話番号や機能名等を印字するものである。「示名条片」をシートから切り離す方法としては、前述のミシン目による方法の他、予め切れ込みを入れた紙や透明フィルム製の「示名条片」をはくり紙台紙上に配置し、印刷後に台紙より剥がして使用する方法も可能である。
【手続補正３】
【補正対象書類名】明細書
【補正対象項目名】０００６
【補正方法】変更
【補正の内容】
【０００６】  本考案に係る「示名条片」作成シートは、パソコンを利用して電話番号や機能名等の印字を行うため、「示名条片」を多機能電話機にセットした際の見栄えが良くなる。また、シート上の「示名条片」の形状を変更する事で多種多様な多機能電話機の機種はもとより、「示名条片」を有する他の通信機器や配線用端子盤等にも柔軟に対応できる。